(57)【要約】【課題】不用意な脱落を生じさせることなく、表示された情報の漏洩を確実に回避する。【解決手段】配送情報が表示される配送情報表示領域１２ａを有する伝票シート１０と、伝票シート１０の配送情報が表示される面とは反対側の面に擬似接着層４０を介して剥離可能に貼着された中間シート２０とを有し、伝票シート１０は、配送情報表示領域１２ａの外縁部上またはその外側に端部１５ａを具備し、配送情報表示領域１２ａ上を往復するように伝票シート１０を貫通して形成され、折り返し部１５ｂの反対側が閉じていない少なくとも１つの連続状のスリット１５を有する。【選択図】図１
2019181814.tif 000002
【特許請求の範囲】
【請求項１】
情報が表示される情報表示部を有する第１のシートと、
前記第１のシートの前記情報が表示される面とは反対側の面に擬似接着層を介して剥離可能に貼着された第２のシートとを有し、
前記第１のシートは、前記情報表示部の外縁部上またはその外側に端部を具備し、前記情報表示部上を往復するように前記第１のシートを貫通して形成され、折り返し部の反対側が閉じていない少なくとも１つの連続状の切り込み線を有する、情報保護シート。
【請求項２】
請求項１に記載の情報保護シートにおいて、
前記切り込み線を複数有し、
前記複数の切り込み線は、それぞれが細長の略Ｕ字状であって、互いに同一方向を向いて長手方向に直交する方向に並んでいる、情報保護シート。
【請求項３】
請求項１に記載の情報保護シートにおいて、
前記切り込み線は、前記情報表示部上を一方向に進行する蛇腹状に形成されている、情報保護シート。
【請求項４】
請求項１乃至３のいずれか１項に記載の情報保護シートにおいて、
前記第２のシートは、前記第１のシートとの貼着面とは反対側に粘着層が積層され、
前記粘着層を介して前記第２のシートと剥離可能に貼着された第３のシートを有する、情報保護シート。
【発明の詳細な説明】
【技術分野】
【０００１】
本発明は、情報が表示されるシートに関し、特に、表示される情報の漏洩を回避する技術に関する。
【背景技術】
【０００２】
近年、情報化社会の進展に伴い、個人情報の保護の重要性が高まっている。個人情報は個人を特定する情報であることから、漏洩した場合に悪用されてしまう可能性が高い。このような個人情報は、配送物が配送される際、配送物に貼着される配送ラベルに表示されて用いられる場合があるが、その場合、配送物から剥離した配送ラベルの廃棄とともに個人情報が漏洩する可能性が生じてしまう。
【０００３】
ここで、個人情報が表示される情報表示シートと、接着層を介して情報表示シートに剥離可能に接着された基材シートとからなる個人情報保護シートであって、基材シートには、その周縁部と内側領域とを切り離すための切れ目が予め設けられており、情報表示シートには、基材シートの内側領域と重なる領域に、閉じたループ状の接着層も貫通する切れ目が予め設けられた個人情報保護シートが、例えば、特許文献１に開示されている。
【０００４】
特許文献１に開示された技術によれば、情報表示シートに個人情報が表示されている個人情報保護シートを廃棄する際に、基材シート側から、基材シートの切れ目によって基材シートの内側領域とその周縁部を分離しつつ、基材シートの内側領域を情報表示シートから剥離すると、情報表示シートに設けられたループ状の切れ目の内側領域が、基材シートとともに情報表示シートから分離する一方、ループ状の切れ目の外側領域が情報表示シートに残存し、それにより、情報表示シートに記載された個人情報を分断し、個人情報の漏洩を回避することができる。
【０００５】
また、基材の表面に個人情報が表示され、基材に個人情報の表示領域を複数の区域に分割するミシン目やアンカット部を有するスリットが形成され、かつ基材の裏面に再剥離可能な構造を有し、再剥離可能な構造が、基材の裏面に積層された２層間で剥離可能に形成された構造からなるラベルにおいて、ミシン目やアンカット部を有するスリットは、個人情報を表示する文字を分割する位置に形成されているラベルが、例えば、特許文献２に開示されている。
【０００６】
特許文献２に開示された技術によれば、封筒等の被着体に貼着された後に基材を剥離し、ミシン目やアンカット部を破断することで、基材の表面に表示された個人情報を分断して解読することを不可能とすることができる。
【先行技術文献】
【特許文献】
【０００７】
【特許文献１】特許第４２１０１７８号公報
【特許文献２】特許第４４９８５１２号公報
【発明の概要】
【発明が解決しようとする課題】
【０００８】
ところで、近年、上述したような配送ラベルに対する情報表示シートへの情報の表示は、プリンタにおける印字によって行われる場合が多い。特に、一般消費者ではなく企業等から発送する配送物に貼着される配送ラベル等においては、配送情報が事前に印字されたものが用いられている。その場合、シートがプリンタ内を湾曲して搬送されることになるため、特許文献１に開示された個人情報保護シートのように、情報が表示される情報表示シートにループ状の切れ目が設けられている場合、シートがプリンタ内を搬送される際に、ループ状の切れ目の内側領域が搬送方向先端部から捲れ上がり、基材シートから剥離して脱落してしまう虞がある。また、配送物の配送時においても、ループ状の内側領域が基材シートから剥離して脱落してしまう虞がある。
【０００９】
また、特許文献２に開示されたラベルのように、ミシン目やアンカット部を有するスリットが、個人情報を表示する文字を分割する位置に形成されているものにおいては、被着体から剥離してミシン目やアンカット部を破断した場合、被着体からの剥離方向等によっては、ミシン目やアンカット部を、個人情報が分断するように破断することができず、表示された情報の漏洩を確実に回避できるとは言い難い。
【００１０】
本発明は、上述したような従来の技術が有する問題点に鑑みてなされたものであって、不用意な脱落を生じさせることなく、表示された情報の漏洩を確実に回避することができる情報保護シートを提供することを目的とする。
【課題を解決するための手段】
【００１１】
上記目的を達成するために本発明は、
情報が表示される情報表示部を有する第１のシートと、
前記第１のシートの前記情報が表示される面とは反対側の面に擬似接着層を介して剥離可能に貼着された第２のシートとを有し、
前記第１のシートは、前記情報表示部の外縁部上またはその外側に端部を具備し、前記情報表示部上を往復するように前記第１のシートを貫通して形成され、折り返し部の反対側が閉じていない少なくとも１つの連続状の切り込み線を有する。
【００１２】
上記のように構成された本発明においては、擬似接着層によって剥離可能に貼着された第１のシートと第２のシートとを、第１のシートに形成された切り込み線の折り返し部側を剥離開始端として剥離していくと、第１のシートのうち切り込み線の折り返し部を介した２つの線部に挟まれた領域が第２のシートに貼着されたままとなる一方、２つの線部の外側の領域が第２のシート部から剥離していき、それにより、第１のシート部が破断されることになる。その際、切り込み線が、第１のシートの情報が表示される情報表示部上を往復するように第１のシートを貫通して形成されていることで、情報表示部に表示された情報が分断されることになるが、切り込み線が、その折り返し部の反対側が閉じていないため、プリンタ内を搬送される際等において、その一部が不用意に脱落してしまうことがなくなる。また、切り込み線が、情報表示部の外縁部上またはその外側に端部を具備する連続状のものであることで、情報表示部内においては途切れることなく連続状となっており、それにより、情報表示部に表示された情報が確実に分断されることになる。
【００１３】
また、切り込み線を複数有し、複数の切り込み線が、それぞれ細長の略Ｕ字状であって、互いに同一方向を向いて長手方向に直交する方向に並んでいれば、情報表示部を細かく分離することができ、情報表示部に表示された情報がさらに認識困難となる。
【００１４】
また、切り込み線が、情報表示部上を一方向に進行する蛇腹状に形成されていれば、蛇腹の進行方向に直交する方向のいずれを第１のシートの第２のシートからの剥離開始端としても、上記作用を生じさせることができる。
【００１５】
また、第２のシートの第１のシートとの貼着面とは反対側に粘着層が積層され、この粘着層を介して第２のシートと剥離可能に貼着された第３のシートを有する構成とすれば、第３のシートを剥離して粘着層を表出させることで、第１のシートと第２のシートとが剥離可能に貼着されたラベル形態として使用することができる。
【発明の効果】
【００１６】
本発明によれば、切り込み線が、第１のシートの情報が表示される情報表示部上を往復するように第１のシートを貫通して形成されていることで、情報表示部に表示された情報が分断される構成において、切り込み線が、その折り返し部の反対側が閉じていないことにより、プリンタ内を搬送される際等において、その一部が不用意に脱落してしまうことがなくなる。また、切り込み線が、情報表示部の外縁部上またはその外側に端部を具備する連続状のものであることで、情報表示部内においては途切れることなく連続状となっており、それにより、情報表示部に表示された情報が確実に分断され、表示された情報の漏洩を確実に回避することができる。
【００１７】
また、切り込み線を複数有し、複数の切り込み線が、それぞれ細長の略Ｕ字状であって、互いに同一方向を向いて長手方向に直交する方向に並んでいるものにおいては、情報表示部を細かく分離することができ、情報表示部に表示された情報をさらに認識困難とすることができる。
【００１８】
また、切り込み線が、情報表示部上を一方向に進行する蛇腹状に形成されているものにおいては、蛇腹の進行方向に直交する方向のいずれを第１のシートの第２のシートからの剥離開始端としても、情報表示部に表示された情報を確実に分断することができる。
【００１９】
また、第２のシートの第１のシートとの貼着面とは反対側に粘着層が積層され、この粘着層を介して第２のシートと剥離可能に貼着された第３のシートを有するものにおいては、第３のシートを剥離して粘着層を表出させることで、第１のシートと第２のシートとが剥離可能に貼着されたラベル形態として使用することができる。
【図面の簡単な説明】
【００２０】
【図１】本発明の情報保護シートの第１の実施の形態を示す図であり、（ａ）は表面図、（ｂ）は（ａ）に示したＡ−Ａ’断面図、（ｃ）はスリットの構成を詳細に説明するための図である。
【図２】図１に示した配送ラベルが配送物に貼着されるまでの使用方法を説明するための図である。
【図３】配送物の配送先に配送される際の配送ラベルの使用方法を説明するための図である。
【図４】配送物の配送先に配送された後の配送ラベルの使用方法を説明するための図である。
【図５】本発明の情報保護シートの第２の実施の形態を示す図であり、（ａ）は表面図、（ｂ）は（ａ）に示したＡ−Ａ’断面図、（ｃ）はスリットの構成を詳細に説明するための図である。
【図６】図５に示した配送ラベルが配送物に貼着されるまでの使用方法を説明するための図である。
【図７】配送物の配送先に配送される際の配送ラベルの使用方法を説明するための図である。
【図８】配送物の配送先に配送された後の配送ラベルの使用方法を説明するための図である。
【図９】本発明の情報保護シートの第３の実施の形態を示す図であり、（ａ）は表面図、（ｂ）は（ａ）に示したＡ−Ａ’断面図、（ｃ）はスリットの構成を詳細に説明するための図である。
【図１０】本発明の情報保護シートの第４の実施の形態を示す図であり、（ａ）は表面図、（ｂ）は（ａ）に示したＡ−Ａ’断面図、（ｃ）はスリットの構成を詳細に説明するための図である。
【発明を実施するための形態】
【００２１】
以下に、本発明の実施の形態について図面を参照して説明する。
【００２２】
（第１の実施の形態）
図１は、本発明の情報保護シートの第１の実施の形態を示す図であり、（ａ）は表面図、（ｂ）は（ａ）に示したＡ−Ａ’断面図、（ｃ）はスリット１５の構成を詳細に説明するための図である。
【００２３】
本形態は図１に示すように、伝票シート１０と中間シート２０と剥離台紙３０とがこの順で積層されてなる配送ラベル１である。
【００２４】
伝票シート１０は、本願発明の第１のシートとなるものであり、感熱紙や上質紙、インクジェット用紙等から構成されている。伝票シート１０には、スリット１４ａ，１４ｂが形成されており、スリット１４ａによって領収票１１と貼付票１２とが分離可能に区画形成され、スリット１４ｂによって領収票１１及び貼付票１２と配達票１３とが分離可能に区画形成されている。
【００２５】
領収票１１には、中間シート２０との積層面とは反対側の面に、この配送ラベル１が貼着されて配送される配送物の配送先の住所や氏名等の配送情報が印字される配送情報表示領域１１ａが設けられている。
【００２６】
貼付票１２には、中間シート２０との積層面とは反対側の面に、この配送ラベル１が貼着されて配送される配送物の配送先の住所や氏名等の配送情報が印字される配送情報表示領域１２ａが設けられている。この配送情報表示領域１２ａが、本願発明における情報表示部となる。また、貼付票１２には、切り込み線となるスリット１５が複数形成されている。複数のスリット１５のそれぞれは、配送情報表示領域１２ａの外縁上に端部１５ａを具備し、その端部１５ａから配送情報表示領域１２ａ上を延び、配送情報表示領域１２ａの外縁上を折り返し部１５ｂとして折り返し、配送情報表示領域１２ａ上を再び延びてくることで、配送情報表示領域１２ａ上を往復し、折り返し部１５ｂの反対側となる反対側部１５ｃが閉じていない細長のＵ字状となっている。このように構成された複数のスリット１５は、折り返し部１５ｂが領収票１１側となるように、領収票１１と貼付票１２との並び方向に対して斜めを向くように互いに同一方向を向いて、Ｕ字状の長手方向に直交する方向に並んで形成されている。
【００２７】
配達票１３には、中間シート２０との積層面とは反対側の面に、この配送ラベル１が貼着されて配送される配送物の配送先の住所や氏名等の配送情報が印字される配送情報表示領域１３ａと、配送物の配送先にて受領印が押下される押印領域１３ｂとが設けられている。
【００２８】
伝票シート１０は、配送情報表示領域１１ａ，１２ａ，１３ａ及び押印領域１３ｂが設けられた面とは反対側の面、すなわち、中間シート２０との積層面のうち、貼付票１２を除いた領域の全面に、印刷層５１が積層されている。印刷層５１は、例えば、一般的なインキを用いた印刷濃度が５０％以上のスクリーン印刷によって積層されている。
【００２９】
中間シート２０は、本願発明の第２のシートとなるものであり、上質紙等から構成されている。中間シート２０の伝票シート１０との積層面には、その全面に、貼着後の剥離が可能な擬似接着剤が塗布されることで擬似接着層４０が積層されており、さらに、この擬似接着層４０上のうち、伝票シート１０に積層された場合に領収票１１及び配達票１３に対向する領域に、印刷層５２が積層されている。印刷層５２は、例えば、一般的なインキを用いた印刷濃度が２０％以下のスクリーン印刷によって積層されている。中間シート２０の剥離台紙３０との積層面には、その全面に粘着剤が塗布されることで粘着層２１が積層されている。
【００３０】
剥離台紙３０は、本願発明の第３のシートとなるものであり、上質紙等から構成されている。剥離台紙３０の中間シート２０との積層面には、その全面にシリコン等からなる剥離剤が塗布されることで剥離層３１が積層されている。
【００３１】
上記のように構成された伝票シート１０、中間シート２０及び剥離台紙３０は、伝票シート１０に積層された印刷層５１と中間シート２０に積層された擬似接着層４０及び印刷層５２とによって伝票シート１０と中間シート２０とが剥離可能に貼着され、中間シート２０に積層された粘着層２１と剥離台紙３０に積層された剥離層３１とによって中間シート２０と剥離台紙３０とが剥離可能に貼着されている。なお、上述した構成は、擬似接着層４０、中間シート２０、粘着層２１、剥離層３１及び剥離台紙３０が積層されてなる、擬似接着糊付きタック紙を使用することもできる。
【００３２】
以下に、上記のように構成された配送ラベル１の作用効果について説明する。
【００３３】
図２は、図１に示した配送ラベル１が配送物に貼着されるまでの使用方法を説明するための図である。
【００３４】
図１に示した配送ラベル１を使用する場合は、まず、図２（ａ）に示すように、配送情報表示領域１１ａ，１２ａ，１３ａに、この配送ラベル１が貼着されて配送される配送物の配送先の住所や氏名等の配送情報１１ｃ，１２ｃ，１３ｃが印字される。その際、配送ラベル１は、プリンタ内にて湾曲しながら搬送されることになるが、貼付票１２にスリット１５が形成されているものの、スリット１５が、ループ状ではなく、折り返し部１５ｂの反対側が閉じていないＵ字状のものであることにより、プリンタ内にて湾曲しながら搬送された場合でも、伝票シート１０の一部が中間シート２０から剥離して脱落し、プリンタ内に残ってしまうことがない。
【００３５】
配送情報表示領域１１ａ，１２ａ，１３ａに配送情報１１ｃ，１２ｃ，１３ｃが印字された後、中間シート２０から剥離台紙３０が剥離され、表出した粘着層２１によって、図２（ｂ）に示すように配送物２に貼着される。
【００３６】
このようにして配送ラベル１が貼着された配送物２は、配送情報表示領域１１ａ，１２ａ，１３ａに表示された配送情報１１ｃ，１２ｃ，１３ｃに従って、配送物２の配送先に配送されていく。その際、貼付票１２にスリット１５が形成されているものの、スリット１５が、ループ状ではなく、折り返し部１５ｂの反対側が閉じていないＵ字状のものであることにより、配送物２の配送中においても、伝票シート１０の一部が中間シート２０から剥離して脱落してしまうことがない。
【００３７】
図３は、配送物２の配送先に配送される際の配送ラベル１の使用方法を説明するための図である。図４は、配送物２の配送先に配送された後の配送ラベル１の使用方法を説明するための図である。
【００３８】
上記のように配送ラベル１が貼着された配送物２が配送先に配送されると、図３（ａ）に示すように、配達票１３が配送ラベル１から分離される。配達票１３は、スリット１４ｂを介して領収票１１及び貼付票１２と分離可能となっているとともに、伝票シート１０に積層された印刷層５１と中間シート２０に積層された擬似接着層４０及び印刷層５２とによって中間シート２０に剥離可能に貼着されていることで中間シート２０から剥離することができるが、配達票１３と中間シート２０との間には、擬似接着層４０のみならず印刷層５１，５２が積層されているため、印刷層５１，５２によって擬似接着層４０による配達票１３と中間シート２０との貼着力が弱まり、配達票１３を中間シート２０から容易に剥離することができる。すなわち、印刷層５１，５２は、伝票シート１０や中間シート２０の材質や要求される貼着力に応じて設けられるものであって、一般的なインキではなくニス混合インキを用いることで伝票シート１０や中間シート２０との貼着力を弱くすることや、印刷層５１，５２を設けない構成とすることも考えられる。また、本発明の情報保護シートの用途に応じて印刷層５１，５２の設定を変えることも考えられる。
【００３９】
中間シート２０から剥離された配達票１３は、押印領域１３ｂに受領印が押下され、配送業者によって持ち帰られて配送管理に用いられる。
【００４０】
また、配送物２の配送が代金引換によるものである場合は、配送物２の配送先にて代金が支払われた後に、図３（ａ）に示すように、領収票１１が中間シート２０から剥離されることになる。その際、領収票１１は、スリット１４ａを介して貼付票１２と分離可能となっているとともに、擬似接着層４０及び印刷層５１，５２によって中間シート２０に剥離可能に貼着されていることで中間シート２０から剥離することができる。その際、領収票１１は、配達票１３と同様に、擬似接着層４０のみならず、印刷層５１，５２によっても中間シート２０に剥離可能に貼着されていることで、中間シート２０から容易に剥離することができる。中間シート２０から剥離された領収票１１は、配送物２の受取人に領収書として渡される。
【００４１】
このようにして、図３（ｂ）に示すように、領収票１１及び配達票１３が配送物２から分離されることになる。
【００４２】
その後、配送物２の配送先においては、配送物２のパッケージ等の外装を廃棄する際、図４（ａ）に示すように、貼付票１２が配送ラベル１から分離される。貼付票１２は、擬似接着層４０によって中間シート２０に剥離可能に貼着されているため、中間シート２０から剥離することで、配送ラベル１から分離することができる。その際、貼付票１２においては、領収票１１や配達票１３とは異なり、擬似接着層４０のみによって中間シート２０に剥離可能に貼着されていることで、中間シート２０から剥離する際に必要となる剥離力が領収票１１や配達票１３よりも重いものとなる。これは、貼付票１２は、配送ラベル１が貼着された配送物２を特定するためのものであり、配送物２からの不用意な脱落を極力回避するためである。
【００４３】
貼付票１２が、スリット１５の折り返し部１５ｂ側の角部を剥離開始端として中間シート２０から剥離されていくと、図４（ａ）に示すように、スリット１５のＵ字状の外側の領域が中間シート２０から剥離していく一方、Ｕ字状の内側の領域が中間シート２０に貼着されたままとなって、貼付票１２がスリット１５のＵ字状の外側の領域と内側の領域とに分離していく。そして、貼付票１２の分離部分がＵ字状の開いた端部１５ａに達した後は、貼付票１２が、端部１５ａ間が破断したり、Ｕ字状の延長線に沿って破断したりして、図４（ｂ）に示すように、配送物２から分離した貼付票１２は、スリット１５のＵ字状の内側の領域が抜けた抜け部１２ｅを有する形態となる。
【００４４】
このように、貼付票１２がスリット１５のＵ字状の外側の領域と内側の領域とに分離し、配送物２から分離した貼付票１２が、スリット１５のＵ字状の内側の領域が抜けた抜け部１２ｅを有する形態となると、スリット１５が、配送情報表示領域１２ａ上を往復するように伝票シート１０を貫通して形成されていることで、配送情報表示領域１２ａに表示された配送情報１２ｃが分断され、認識することが困難となる。その際、スリット１５が、折り返し部１５ｂの反対側となる反対側部１５ｃが閉じていないＵ字状のものであるため、プリンタ内を搬送される際等において、その一部が不用意に脱落してしまうことがなくなる。また、スリット１５が、配送情報表示領域１２ａの外縁部上に端部１５ａを具備する連続状のものであることで、配送情報表示領域１２ａ内においては途切れることなく連続状となっており、それにより、配送情報表示領域１２に表示された配送情報１２ｃが確実に分断されることになり、配送情報１２ｃの漏洩を確実に回避することができる。
【００４５】
また、本形態においては、切り込み線を細長のＵ字状のスリット１５とし、このスリット１５が、互いに同一方向を向いて長手方向に直交する方向に複数並んで配置された構成とすることで、配送情報表示領域１２ａを細かく分離することができ、配送情報表示領域１２ａに表示された配送情報１２ｃをさらに認識困難とすることができる。
【００４６】
なお、本形態においては、切り込み線として、細長のＵ字状のスリット１５を例に挙げて説明したが、配送情報表示領域１２ａの外縁上に端部を有し、その端部から配送情報表示領域１２ａ上を延び、配送情報表示領域１２ａの外縁上を折り返し部として折り返し、配送情報表示領域１２ａ上を再び延びてくることで、配送情報表示領域１２ａ上を往復し、折り返し部の反対側が閉じていない形態のものであれば、Ｖ字状やコの字状のものであってもよい。これらを含めて、略Ｕ字状と定義する。
【００４７】
（第２の実施の形態）
図５は、本発明の情報保護シートの第２の実施の形態を示す図であり、（ａ）は表面図、（ｂ）は（ａ）に示したＡ−Ａ’断面図、（ｃ）はスリット１１５の構成を詳細に説明するための図である。
【００４８】
本形態は図５に示すように、図１に示したものに対して、スリット１１５の形状と、伝票シート１１０と中間シート１２０との間の層構成とが異なる配送ラベル１０１である。
【００４９】
本形態の配送ラベル１０１におけるスリット１１５は、配送情報表示領域１１２ａの外縁上に端部１１５ａを具備し、その端部１１５ａから配送情報表示領域１１２ａ上を延び、配送情報表示領域１１２ａの外縁上を折り返し部１１５ｂとして折り返し、配送情報表示領域１１２ａ上を再び延びてきて、さらに配送情報表示領域１１２ａの外縁上を折り返し部１１５ｂとして折り返すことを繰り返すことで、配送情報表示領域１１２ａ上を、配送情報表示領域１１２ａの１つの隅部からこの隅部に対角線上にて対向する隅部に向かって往復して進行していく蛇腹状となっている。このように、スリット１１５は、蛇腹状となることで折り返し部１１５の反対側となる反対側部１１５ｃが閉じていない構成となっている。
【００５０】
本形態における伝票シート１１０には、中間シート１２０との積層面のうち、貼付票１１２を除いた領域の全面に、剥離剤が印刷によって塗布されることで剥離層１５１が積層されている。
【００５１】
また、本形態における中間シート１２０には、伝票シート１１０との積層面の全面に、樹脂材料が塗布されることで目止め層１５２が積層され、この目止め層１５２上に擬似接着層１４０が積層されている。このように、中間シート１２０と擬似接着層１４０との間に目止め層１５２を介在させることで、擬似接着層１４０を構成する擬似接着剤の中間シート１２０への染み込みが回避される。
【００５２】
なお、本形態の配送ラベル１０１は、中間シート１２０、粘着層１２１、剥離層１３１及び剥離台紙１３０が積層されてなる、タック紙を使用することもできる。
【００５３】
以下に、本形態における配送ラベル１０１の作用効果について説明する。
【００５４】
図６は、図５に示した配送ラベル１０１が配送物に貼着されるまでの使用方法を説明するための図である。
【００５５】
図５に示した配送ラベル１０１を使用する場合は、まず、図５（ａ）に示すように、配送情報表示領域１１１ａ，１１２ａ，１１３ａに、この配送ラベル１が貼着されて配送される配送物の配送先の住所や氏名等の配送情報１１１ｃ，１１２ｃ，１１３ｃが印字される。その際、配送ラベル１０１は、プリンタ内にて湾曲しながら搬送されることになるが、貼付票１１２にスリット１１５が形成されているものの、スリット１１５が、ループ状ではなく、折り返し部１１５ｂの反対側が閉じていない蛇腹状のものであることにより、プリンタ内にて湾曲しながら搬送された場合でも、伝票シート１１０の一部が中間シート１２０から剥離して脱落し、プリンタ内に残ってしまうことがない。
【００５６】
配送情報表示領域１１１ａ，１１２ａ，１１３ａに配送情報１１１ｃ，１１２ｃ，１１３ｃが印字された後、中間シート１２０から剥離台紙１３０が剥離され、表出した粘着層１２１によって、図６（ｂ）に示すように配送物１０２に貼着される。
【００５７】
このようにして配送ラベル１０１が貼着された配送物１０２は、配送情報表示領域１１１ａ，１１２ａ，１１３ａに表示された配送情報１１１ｃ，１１２ｃ，１１３ｃに従って、配送物１０２の配送先に配送されていく。この際、貼付票１１２にスリット１１５が形成されているものの、スリット１１５が、ループ状ではなく、折り返し部１１５ｂの反対側が閉じていない蛇腹状のものであることにより、配送物１０２の配送中においても、伝票シート１１０の一部が中間シート１２０から剥離して脱落してしまうことがない。
【００５８】
図７は、配送物１０２の配送先に配送される際の配送ラベル１０１の使用方法を説明するための図である。図８は、配送物１０２の配送先に配送された後の配送ラベル１０１の使用方法を説明するための図である。
【００５９】
上記のように配送ラベル１０１が貼着された配送物１０２が配送先に配送されると、図７（ａ）に示すように、配達票１１３が配送ラベル１０１から分離される。配達票１１３は、スリット１１４ｂを介して領収票１１１及び貼付票１１２と分離可能となっているとともに、伝票シート１１０に積層された剥離層１５１と中間シート１２０に積層された擬似接着層１４０とによって中間シート１２０に剥離可能に貼着されていることで中間シート１２０から剥離することができるが、配達票１１３と中間シート１２０との間には、擬似接着層１４０のみならず剥離層１５１が積層されているため、剥離層１５１によって擬似接着層１４０による配達票１１３と中間シート１２０との貼着力が弱まり、配達票１１３を中間シート１２０から容易に剥離することができる。
【００６０】
中間シート１２０から剥離された配達票１１３は、押印領域１１３ｂに受領印が押下され、配送業者によって持ち帰られて配送管理に用いられる。
【００６１】
また、配送物１０２の配送が代金引換によるものである場合は、配送物１０２の配送先にて代金が支払われた後に、図７（ａ）に示すように、領収票１１１が中間シート１２０から剥離されることになる。その際、領収票１１１は、スリット１１４ａを介して貼付票１１２と分離可能となっているとともに、擬似接着層１４０及び剥離層１５１によって中間シート１２０に剥離可能に貼着されていることで中間シート１２０から剥離することができる。その際、領収票１１１は、配達票１１３と同様に、擬似接着層１４０のみならず、剥離層１５１によっても中間シート１２０に剥離可能に貼着されていることで、中間シート１２０から容易に剥離することができる。中間シート１２０から剥離された領収票１１１は、配送物１０２の受取人に領収書として渡される。
【００６２】
このようにして、図７（ｂ）に示すように、領収票１１１及び配達票１１３が配送物１０２から分離されることになる。
【００６３】
その後、配送物１０２の配送先においては、配送物１０２のパッケージ等の外装を廃棄する際、図８（ａ）に示すように、貼付票１１２が配送ラベル１０１から分離される。貼付票１１２は、擬似接着層１４０によって中間シート１２０に剥離可能に貼着されているため、中間シート１２０から剥離することで、配送ラベル１０１から分離することができる。
【００６４】
貼付票１１２が、その１つの角部を剥離開始端としてスリット１１５の蛇腹の進行方向に直交する方向に中間シート１２０から剥離されていくと、スリット１１５の蛇腹を構成する折り返し線のうち、剥離開始端側の折り返し部１１５ｂを介して互いに繋がっている隣接する２本の折り返し線に挟まれた領域が中間シート１２０に貼着されたままとなる一方、剥離開始端側にて閉じていない２本の折り返し線に挟まれた領域が中間シート１２０から剥離していく。そして、貼付票１１２の分離部分がスリット１１５の端部１１５ａに達した後は、貼付票１１２が、端部１１５ａから折り返し線の延長線上に破断していき、スリット１１５を介した２つの領域に分離され、図８（ｂ）に示すように、中間シート１２０から剥離された貼付票１１２は、スリット１１５を介して中間シート１２０に貼着されたままとなる領域が分離した状態となる。
【００６５】
このように、貼付票１１２がスリット１１５を介した２つの領域に分離すると、スリット１１５が、配送情報表示領域１１２ａ上を往復するように伝票シート１１０を貫通して形成されていることで、配送情報表示領域１１２ａに表示された配送情報１１２ｃが分断され、認識することが困難となる。その際、スリット１１５が、折り返し部１１５ｂの反対側となる反対側部１１５ｃが閉じていない蛇腹状のものであるため、プリンタ内を搬送される際等において、その一部が不用意に脱落してしまうことがなくなる。また、スリット１１５が、配送情報表示領域１１２ａの外縁部上に端部１１５ａを具備する連続状のものであることで、配送情報表示領域１１２ａ内においては途切れることなく連続状となっており、それにより、配送情報表示領域１１２に表示された配送情報１１２ｃが確実に分断されることになり、配送情報１１２ｃの漏洩を確実に回避することができる。
【００６６】
また、本形態においては、スリット１１５が、配送情報表示領域１１２ａ上を一方向に進行する蛇腹状に形成されたものであるため、蛇腹の進行方向に直交する方向のいずれを貼付票１１２の中間シート１２０からの剥離開始端としても、配送情報表示領域１１２ａに表示された配送情報１１２ｃを確実に分断することができる。
【００６７】
（第３の実施の形態）
図９は、本発明の情報保護シートの第３の実施の形態を示す図であり、（ａ）は表面図、（ｂ）は（ａ）に示したＡ−Ａ’断面図、（ｃ）はスリット２１５の構成を詳細に説明するための図である。
【００６８】
本形態は図９に示すように、図１に示したものに対して、スリット２１５が、配送情報表示領域２１２ａの外縁よりも外側に端部２１５ａを具備するものである点が異なる配送ラベル２０１である。
【００６９】
上記のように構成された配送ラベル２０１においても、スリット２１５が、配送情報表示領域２１２ａの外縁よりも外側に端部２１５ａを具備する連続状のものであることで、配送情報表示領域２１２ａ内においては途切れることなく連続状となっており、それにより、貼付票２１２が中間シート２２０から剥離された際に、配送情報表示領域２１２に表示された配送情報が確実に分断されることになり、配送情報表示領域２１２に表示された配送情報の漏洩を確実に回避することができる。
【００７０】
（第４の実施の形態）
図１０は、本発明の情報保護シートの第４の実施の形態を示す図であり、（ａ）は表面図、（ｂ）は（ａ）に示したＡ−Ａ’断面図、（ｃ）はスリット３１５の構成を詳細に説明するための図である。
【００７１】
本形態は図１０に示すように、図５に示したものに対して、スリット３１５が、配送情報表示領域３１２ａの外縁よりも外側に端部３１５ａを具備するものである点が異なる配送ラベル３０１である。
【００７２】
上記のように構成された配送ラベル３０１においても、スリット３１５が、配送情報表示領域３１２ａの外縁よりも外側に端部３１５ａを具備する連続状のものであることで、配送情報表示領域３１２ａ内においては途切れることなく連続状となっており、それにより、貼付票３１２が中間シート３２０から剥離された際に、配送情報表示領域３１２に表示された配送情報が確実に分断されることになり、配送情報表示領域３１２に表示された配送情報の漏洩を確実に回避することができる。
【００７３】
なお、上述した実施の形態においては、貼付票１２，１１２，２１２，３１２と中間シート２０，１２０，２２０，３２０との間に擬似接着層４０，１４０，２４０，３４０のみが介在しているが、貼付票１２，１１２，２１２，３１２と中間シート２０，１２０，２２０，３２０との間にて必要となる貼着力に応じて、印刷層や剥離層を介在させてもよい。
【００７４】
また、上述した実施の形態においては、伝票シート１０，１１０，２１０，３１０と中間シート２０，１２０，２２０，３２０と剥離台紙３０，１３０，２３０，３３０とがこの順で積層されてなる配送ラベル１，１０１，２０１，３０１を例に挙げて説明したが、本発明の情報保護シートは、第１のシートと第２のシートとが剥離可能に貼着されている構成であればよく、すなわち、上述した実施の形態における、粘着層２１，１２１，２２１，３２１、剥離台紙３０，１３０，２３０，３３０及び剥離層３１，１３１，２３１，３３１は必須ではない。ただし、上述した実施の形態に示したもののように、中間シート２０，１２０，２２０，３２０の伝票シート１０，１１０，２１０，３１０とは反対側に粘着層２１，１２１，２２１，３２１が積層され、この粘着層２１，１２１，２２１，３２１と剥離層３１，１３１，２３１，３３１とによって中間シート２０，１２０，２２０，３２０と剥離可能に貼着された剥離台紙３０，１３０，２３０，３３０を有する構成とすることにより、剥離台紙３０，１３０，２３０，３３０を剥離層３１，１３１，２３１，３３１とともに剥離して粘着層２１，１２１，２２１，３２１を表出させることで、伝票シート１０，１１０，２１０，３１０と中間シート２０，１２０，２２０，３２０とが剥離可能に貼着されたラベル形態として使用することができる。
【００７５】
また、中間シート２０，１２０，２２０，３２０としてフィルムからなるものを用いることもできる。その場合、擬似接着機能を有するフィルムを用いれば、伝票シート１０，１１０，２１０，３１０との積層面に擬似接着層４０，１４０，２４０，３４０を介在させる必要はない。
【符号の説明】
【００７６】
１，１０１，２０１，３０１    配送ラベル
２，１０２    配送物
１０，１１０，２１０，３１０    伝票シート
１１，１１１，２１１，３１１    領収票
１１ａ，１２ａ，１３ａ，１１１ａ，１１２ａ，１１３ａ，２１１ａ，２１２ａ，２１３ａ，３１１ａ，３１２ａ，３１３ａ    配送情報表示領域
１１ｃ，１２ｃ，１３ｃ，１１１ｃ，１１２ｃ，１１３ｃ    配送情報
１２，１１２，２１２，３１２    貼付票
１２ｅ    抜け部
１３，１１３，２１３，３１３    配達票
１３ｂ，１１３ｂ，２１３ｂ，３１３ｂ    押印領域
１４ａ，１４ｂ，１５，１１４ａ，１１４ｂ，１１５，２１４ａ，２１４ｂ，２１５，３１４ａ，３１４ｂ，３１５    スリット
１５ａ，１１５ａ，２１５ａ，３１５ａ    端部
１５ｂ，１１５ｂ，２１５ｂ，３１５ｂ    折返し部
１５ｃ，１１５ｃ，２１５ｃ，３１５ｃ    反対側部
２０，１２０，２２０，３２０    中間シート
２１，１２１，２２１，３２１    粘着層
３０，１３０，２３０，３３０    剥離台紙
３１，１３１，１５１，２３１，３３１，３５１    剥離層
４０，１４０，２４０，３４０    擬似接着層
５１，５２，２５１，２５２    印刷層
１５２，３５２    目止め層
【図１】
2019181814.tif 000003
【図２】
2019181814.tif 000004
【図３】
2019181814.tif 000005
【図４】
2019181814.tif 000006
【図５】
2019181814.tif 000007
【図６】
2019181814.tif 000008
【図７】
2019181814.tif 000009
【図８】
2019181814.tif 000010
【図９】
2019181814.tif 000011
【図１０】
2019181814.tif 000012